(57)【要約】【課題】複数の表示装置が隣接して配置されたマルチディスプレイシステムにおいて、当該複数の表示装置をグループ分けする際に、グループ識別情報を容易に設定することが可能な表示装置を提供する。【解決手段】ディスプレイ装置２００は、所属するグループを示すグループ識別情報を記憶するためのＨＤＤ１１６と、所属するグループの設定を指示するグループ分けコマンドを受け付けるコマンド受付部１３３と、コマンド受付部１３３によりグループ分けコマンドを受け付けたとき、映像信号の受信の有無に応じて、グループ識別情報の設定を行うか否かを判断し、グループ識別情報の設定を行うと判断した場合に、グループ分けコマンドに基づいてグループ識別情報をＨＤＤ１１６に設定するグループ情報設定部１３９とを備える。【選択図】図７
2012118390.tif 000002
【特許請求の範囲】
【請求項１】
複数の表示装置が互いに隣接するように配置され、当該複数の表示装置が少なくとも１つのグループに分けられるマルチディスプレイシステムを構成する表示装置であって、
表示手段と、
映像信号を受信し、受信した映像信号に基づいた映像を上記表示手段に表示させる表示処理部と、
所属するグループを示す所属グループ識別情報を記憶するための記憶手段と、
所属するグループの設定を指示するグループ分けコマンドを受け付けるコマンド受付部と、
上記コマンド受付部によりグループ分けコマンドを受け付けたとき、上記表示処理部による映像信号の受信の有無に応じて、グループ識別情報の設定を行うか否かを判断し、グループ識別情報の設定を行うと判断した場合に、上記グループ分けコマンドに基づいて所属グループ識別情報を上記記憶手段に設定するグループ設定部と、
を備えることを特徴とする表示装置。
【請求項２】
上記グループ設定部は、上記表示処理部による映像信号の受信が有の場合にグループ識別情報の設定を行うと判断することを特徴とする請求項１に記載の表示装置。
【請求項３】
上記グループ設定部は、上記表示処理部による映像信号の受信が無の場合にグループ識別情報の設定を行うと判断することを特徴とする請求項１に記載の表示装置。
【請求項４】
上記グループ分けコマンドは、更新用のグループ識別情報である更新用識別情報を含み、
上記グループ設定部は、グループ識別情報の設定を行うと判断した場合に、グループ分けコマンドに含まれる更新用識別情報を所属グループ識別情報として上記記憶手段に設定することを特徴とする請求項１から３のいずれか１項に記載の表示装置。
【請求項５】
複数の表示装置と、前記複数の表示装置と通信可能なコマンド出力装置と、映像の信号を発生する信号発生装置とを含み、上記複数の表示装置が少なくとも１つのグループに分けられるマルチディスプレイシステムにおいて、
上記コマンド出力装置は、上記複数の表示装置の各々に対して、所属するグループの設定を指示するグループ分けコマンドを送信するコマンド送信部を備え、
上記複数の表示装置の各々は、
表示手段と、
上記信号発生装置から映像信号を受信し、受信した映像信号に基づいた映像を上記表示手段に表示させる表示処理部と、
所属するグループを示す所属グループ識別情報を記憶するための記憶手段と、
上記コマンド出力装置から入力される上記グループ分けコマンドを受け付けるコマンド受付部と、
上記コマンド受付部によりグループ分けコマンドを受け付けたとき、上記表示処理部による映像信号の受信の有無に応じて、グループ識別情報の設定を行うか否かを判断し、グループ識別情報の設定を行うと判断した場合に、上記グループ分けコマンドに基づいて所属グループ識別情報を上記記憶手段に設定するグループ設定部と、を備えることを特徴とするマルチディスプレイシステム。
【請求項６】
上記グループ分けコマンドは、更新用のグループ識別情報である更新用識別情報を含み、
上記グループ設定部は、グループ識別情報の設定を行うと判断した場合に、グループ分けコマンドに含まれる更新用識別情報を所属グループ識別情報として上記記憶手段に設定することを特徴とする請求項５に記載のマルチディスプレイシステム。
【請求項７】
上記コマンド出力装置は、上記信号発生装置から上記複数の表示装置の各々への映像信号の出力の有無を制御するための制御信号を上記信号発生装置に送信する制御信号送信部を備え、
上記信号発生装置は、上記制御信号に従って、上記複数の表示装置の各々への映像信号の出力の有無を切り換えることを特徴とする請求項５または６に記載のマルチディスプレイシステム。
【請求項８】
請求項１から４のいずれか１項に記載の表示装置を動作させるプログラムであって、コンピュータを上記各部として機能させるためのプログラム。
【請求項９】
請求項８に記載のプログラムを記録したコンピュータ読取り可能な記録媒体。
【発明の詳細な説明】
【技術分野】
【０００１】
本発明は、表示装置に関し、特に複数の表示装置が隣接して配置されたマルチディスプレイシステムを構成する表示装置およびマルチディスプレイシステムに関する。
【背景技術】
【０００２】
縦方向および横方向に隣接して配置された複数のディスプレイ装置を備えるマルチディスプレイシステムが従来技術として知られている。このようなマルチディスプレイシステムでは、複数のディスプレイ装置が例えばデイジーチェーン接続されている。そして、マルチディスプレイシステムは、複数のディスプレイ装置を制御するためのシステム制御装置を備えている。
【０００３】
このようなマルチディスプレイシステムに複数の画像を表示する場合、上記のように縦方向および横方向に隣接して配置された複数のディスプレイ装置の全体の領域（以下、「システム全体領域」という）を複数の領域に分割し、分割された各領域にだけ画像を表示することがある。
【０００４】
システム全体領域を複数の領域に分割する方法として、例えば、特許文献１には、次のような方法が記載されている。システム制御装置は、システム全体領域のうち一部の領域（以下、「システム一部領域」という）の選択をユーザに促すための構成表示画面を表示し、ユーザの操作により領域の選択を受け付ける。そして、システム制御装置は、受け付けたシステム一部領域で特定されるディスプレイ装置に割り当てられた識別情報と、グループを識別するための識別情報（グループ識別情報）とを少なくとも関連付けて記憶する。これにより、複数のディスプレイ装置をグループに分ける。
【先行技術文献】
【特許文献】
【０００５】
【特許文献１】特開２００１−１６６７５７号公報（２００１年６月２２日公開）
【発明の概要】
【発明が解決しようとする課題】
【０００６】
しかしながら、特許文献１の技術では、システム制御装置においてシステム全体領域の中からシステム一部領域の選択をユーザに促すための構成表示画面を表示しなければならない。そして、ユーザは、構成表示画面に対して選択入力を行う必要があり、操作が煩雑となる。
【０００７】
また、特許文献１では、システム制御装置においてグループ識別情報を記憶することについては記載されているが、各ディスプレイ装置にグループ識別情報を設定する点について記載されていない。各ディスプレイ装置にグループ識別情報を設定する場合、一台一台のディスプレイ装置に対して、リモコン等を用いて、割り当てられたグループ識別情報を設定することが考えられる。しかしながら、ディスプレイ装置の台数が多い場合、設定に時間がかかってしまう。
【０００８】
本発明は、上記課題を解決するためになされたものであり、この発明の目的は、複数の表示装置が隣接して配置されたマルチディスプレイシステムにおいて、当該複数の表示装置をグループ分けする際に、各表示装置に対してグループ識別情報を容易に設定することが可能な表示装置およびマルチディスプレイシステムを提供することである。
【課題を解決するための手段】
【０００９】
本発明の表示装置は、上述した問題点を解決するためになされたものであり、複数の表示装置が互いに隣接するように配置され、当該複数の表示装置が少なくとも１つのグループに分けられるマルチディスプレイシステムを構成する表示装置であって、表示手段と、映像信号を受信し、受信した映像信号に基づいた映像を上記表示手段に表示させる表示処理部と、所属するグループを示す所属グループ識別情報を記憶するための記憶手段と、所属するグループの設定を指示するグループ分けコマンドを受け付けるコマンド受付部と、上記コマンド受付部によりグループ分けコマンドを受け付けたとき、上記表示処理部による映像信号の受信の有無に応じて、グループ識別情報の設定を行うか否かを判断し、グループ識別情報の設定を行うと判断した場合に、上記グループ分けコマンドに基づいて所属グループ識別情報を上記記憶手段に設定するグループ設定部と、を備える。
【００１０】
上記の構成によれば、所属するグループの設定を指示するグループ分けコマンドが受け付けられたとき、表示処理部による映像信号の受信の有無に応じて、グループ識別情報の設定を行うか否かが判断される。そして、グループ識別情報の設定を行うと判断された場合に、グループ分けコマンドに基づいて所属グループ識別情報が設定される。このため、映像信号を表示装置に送信するための操作と、グループ分けコマンドを表示装置に入力するための操作とをユーザがするだけで表示装置が所属するグループを設定することができる。その結果、複数のディスプレイ装置をグループに分けるための操作を容易にした表示装置を提供することができる。
【００１１】
さらに、本発明の表示装置において、上記グループ設定部は、上記表示処理部による映像信号の受信が有の場合にグループ識別情報の設定を行うと判断することが好ましい。もしくは、上記グループ設定部は、上記表示処理部による映像信号の受信が無の場合にグループ識別情報の設定を行うと判断してもよい。
【００１２】
上記の構成によれば、グループ識別情報の設定の際に映像信号を確認しながらグループの設定をすることができる。
【００１３】
さらに、本発明の表示装置において、上記グループ分けコマンドは、更新用のグループ識別情報である更新用識別情報を含み、上記グループ設定部は、グループ識別情報の設定を行うと判断した場合に、グループ分けコマンドに含まれる更新用識別情報を所属グループ識別情報として上記記憶手段に設定することが好ましい。
【００１４】
上記の構成によれば、グループ分けコマンドにグループ識別情報を含ませることにより、グループの設定を容易に行うことができる。
【００１５】
また、本発明のマルチディスプレイシステムは、上述した問題点を解決するためになされたものであり、複数の表示装置と、前記複数の表示装置と通信可能なコマンド出力装置と、映像の信号を発生する信号発生装置とを含み、上記複数の表示装置が少なくとも１つのグループに分けられるマルチディスプレイシステムにおいて、上記コマンド出力装置は、上記複数の表示装置の各々に対して、所属するグループの設定を指示するグループ分けコマンドを送信するコマンド送信部を備え、上記複数の表示装置の各々は、表示手段と、上記信号発生装置から映像信号を受信し、受信した映像信号に基づいた映像を上記表示手段に表示させる表示処理部と、所属するグループを示す所属グループ識別情報を記憶するための記憶手段と、上記コマンド出力装置から入力される上記グループ分けコマンドを受け付けるコマンド受付部と、上記コマンド受付部によりグループ分けコマンドを受け付けたとき、上記表示処理部による映像信号の受信の有無に応じて、グループ識別情報の設定を行うか否かを判断し、グループ識別情報の設定を行うと判断した場合に、上記グループ分けコマンドに基づいて所属グループ識別情報を上記記憶手段に設定するグループ設定部と、を備える。
【００１６】
上記の構成によれば、複数のディスプレイ装置をグループに分けるための操作を容易にしたマルチディスプレイシステムを提供することができる。
【００１７】
さらに、本発明のマルチディスプレイシステムにおいて、上記グループ分けコマンドは、更新用のグループ識別情報である更新用識別情報を含み、上記グループ設定部は、グループ識別情報の設定を行うと判断した場合に、グループ分けコマンドに含まれる更新用識別情報を所属グループ識別情報として上記記憶手段に設定することが好ましい。
【００１８】
さらに、本発明のマルチディスプレイシステムにおいて、上記コマンド出力装置は、上記信号発生装置から上記複数の表示装置の各々への映像信号の出力の有無を制御するための制御信号を上記信号発生装置に送信する制御信号送信部を備え、上記信号発生装置は、上記制御信号に従って、上記複数の表示装置の各々への映像信号の出力の有無を切り換えることが好ましい。
【００１９】
上記の構成によれば、コマンド出力装置だけを操作することにより、ユーザの意図した表示装置に映像信号を出力することができるとともにグループの設定をすることができる。
【００２０】
なお、上記表示装置は、コンピュータによって実現してもよく、この場合には、コンピュータを上記各部として動作させることにより表示装置をコンピュータにて実現させるプログラム、およびそれを記録したコンピュータ読取り可能な記録媒体も、本発明の範疇に入る。
【発明の効果】
【００２１】
本発明は、複数の表示装置が隣接して配置されたマルチディスプレイシステムにおいて、当該複数の表示装置をグループ分けする際に、各表示装置に対してグループ識別情報を容易に設定することができるという効果を奏する。
【図面の簡単な説明】
【００２２】
【図１】本実施の形態におけるマルチディスプレイシステムの概略を示す図である。
【図２】制御用ＰＣのハードウエア構成の一例を示すブロック図である。
【図３】ＲＯＭに記憶されたプログラムをＣＰＵが実行することにより実現される機能をＨＤＤに記憶されたデータとともに示すブロック図である。
【図４】グループ設定画面の一例を示す図である。
【図５】信号発生器のハードウエア構成の一例を示すブロック図である。
【図６】ディスプレイ装置のハードウエア構成の一例を示すブロック図である。
【図７】ディスプレイ装置が備えるＣＰＵの機能をＨＤＤに記憶されたデータとともに示すブロック図である。
【図８】制御用ＰＣにおけるコマンド送信の処理の流れを示すフローチャートである。
【図９】複数のディスプレイ装置それぞれにおけるグループ設定処理の流れを示すフローチャートである。
【図１０】グループ識別情報の設定処理の流れを示すフローチャートである。
【図１１】ディスプレイ識別情報が設定されたときのグループ分け表示画面の一例を示す図である。
【図１２】グループ識別情報が初期化されたときのグループ分け表示画面の一例を示す図である。
【図１３】複数のディスプレイ装置のうちの一部に映像信号が入力されている際のマルチディスプレイシステムを示す第１の図である。
【図１４】複数のディスプレイ装置のうちの一部に映像信号が入力されている際のマルチディスプレイシステムを示す第２の図である。
【図１５】複数のディスプレイ装置のうちの一部に映像信号が入力されている際のマルチディスプレイシステムを示す第３の図である。
【図１６】変形例におけるグループ識別情報の設定処理の流れを示すフローチャートである。
【図１７】別の変形例におけるグループ識別情報の設定処理の流れを示すフローチャートである。
【図１８】映像入力端子および映像出力端子を用いて複数のディスプレイ装置をデイジーチェーン接続しているマルチディスプレイシステムを示す図である。
【発明を実施するための形態】
【００２３】
図面を参照しつつ、本発明の実施の形態について説明する。以下の説明では、同一の部品には同一の符号を付してある。それらの名称および機能も同じである。したがって、それらについての詳細な説明は繰り返さない。
【００２４】
＜マルチディスプレイシステムの全体構成＞
図１は、本実施の形態におけるマルチディスプレイシステムの概略を示す図である。図１に示されるように、マルチディスプレイシステムは、制御用のパーソナルコンピュータ（以下、「制御用ＰＣ」という）（コマンド出力装置）１と、信号発生器（信号発生装置）５０Ａ，５０Ｂと、分配器７０Ａ，７０Ｂと、横方向および縦方向に配列された複数のディスプレイ装置２００−１〜２００−８と、を備える。
【００２５】
ディスプレイ装置２００−１〜２００−８は、映像を表示する表示装置であり、例えば、液晶表示装置、ＣＲＴ、プラズマディスプレイである。ディスプレイ装置２００−１〜２００−８は、縦２列横４列で互いに隣接して配置され、制御用ＰＣ１とデイジーチェーン接続される。ディスプレイ装置２００−１、・・・、ディスプレイ装置２００−８は、この順でデイジーチェーン接続される。すなわち、ディスプレイ装置２００−ｋは、ディスプレイ装置２００−（ｋ−１）およびディスプレイ装置２００−（ｋ＋１）と接続される。
【００２６】
なお、ここではディスプレイ装置の台数を縦２列横４列の８台としたが、ディスプレイ装置の配列を縦２列横４列の配列に限定するものでも、ディスプレイ装置の台数を限定するものでもない。
【００２７】
分配器７０Ａは、縦２列横４列で互いに隣接して配置されたディスプレイ装置群の中の左側の縦２列横２列に配置されたディスプレイ装置２００−１，２００−２，２００−５，２００−６と並列に接続され、分配器７０Ｂは、ディスプレイ装置群の中の右側の縦２列横２列に配置されたディスプレイ装置２００−３，２００−４，２００−７，２００−８と並列に接続される。
【００２８】
制御用ＰＣ１は、一般的なコンピュータであり、信号発生器５０Ａ，５０Ｂそれぞれと接続され、信号発生器５０Ａ，５０Ｂそれぞれと通信が可能である。制御用ＰＣ１は、信号発生器５０Ａ，５０Ｂを制御して、ディスプレイ装置２００−１〜２００−８に表示するための動画データまたは画像データを含む映像信号を発生させる。また、制御用ＰＣ１は、デイジーチェーン接続されたディスプレイ装置２００−１〜２００−８に対して、グループ分けを行うためのコマンドを送信する。このコマンドの詳細については後述する。
【００２９】
信号発生器５０Ａは、分配器７０Ａと接続される。信号発生器５０Ａは、制御用ＰＣ１に制御されることにより映像信号を発生し、分配器７０Ａを介して、ディスプレイ装置２００−１，２００−２，２００−５，２００−６に映像を表示させる。
【００３０】
信号発生器５０Ｂは、分配器７０Ｂと接続される。信号発生器５０Ｂは、制御用ＰＣ１に制御されることにより映像信号を発生し、分配器７０Ｂを介して、ディスプレイ装置２００−３，２００−４，２００−７，２００−８に映像を表示させる。
【００３１】
＜制御用ＰＣの構成＞
図２は、制御用ＰＣのハードウエア構成の一例を示すブロック図である。図２に示されるように、制御用ＰＣ１は、それぞれがバス２３に接続され、制御用ＰＣ１の全体を制御するためのＣＰＵ１１と、ＣＰＵ１１が実行するプログラム等を記憶するためのＲＯＭ１３と、ＣＰＵ１１の作業領域として用いられるＲＡＭ１５と、制御用ＰＣ１を外部と接続するためのシリアルＩ／Ｆ１７，１９と、大容量記憶装置としてのＨＤＤ３と、表示部５と、ユーザの操作を受け付ける操作部７と、外部記憶装置９と、を含む。
【００３２】
外部記憶装置９は、プログラムを記憶したＣＤ−ＲＯＭが装着される。ＣＰＵ１１は、外部記憶装置９を介して、ＣＤ−ＲＯＭに記憶された画像表示プログラムをＲＡＭ１５にロードし、実行する。また、ＨＤＤ３に記憶された画像表示プログラムをＲＡＭ１５にロードして実行するようにしてもよい。
【００３３】
図３は、ＲＯＭ１３に記憶されたプログラムをＣＰＵ１１が実行することにより実現される機能をＨＤＤ３に記憶されたデータとともに示すブロック図である。図３に示されるように、制御用ＰＣ１は、操作受付部３１と、制御信号生成部３３と、コマンド生成部３５と、コマンド送信部３７と、制御信号送信部３９とを含む。
【００３４】
ＨＤＤ３は、画像データ４５を記憶する。ここで、画像データ４５は、予め記憶されており、動画データまたは静止画データとを含む。
【００３５】
操作受付部３１は、グループ設定画面を表示部５に表示し、操作部７を介して、ディスプレイ装置２００−１〜２００−８のグループ設定に関するユーザの操作を受け付けるものである。具体的には、操作受付部３１は、グループ設定画面においてユーザからグループ設定指示を受け付けると、ＨＤＤ３に記憶された画像データ４５を読み出す。
【００３６】
ここで、グループ設定画面は、グループ設定指示として、グループ初期化指示およびグループ分け指示のいずれかの選択をユーザに促すとともに、信号発生器５０Ａの識別情報および信号発生器５０Ｂの識別情報のいずれかの選択を促すための画面である。なお、グループ分け指示は、ディスプレイ装置２００−１〜２００−８を少なくとも１つのグループに分けるグループ分け処理の実行指示である。グループ初期化指示は、グループ分けにより分けられた少なくとも１つのグループを、グループ分けがされていない初期の状態に戻すグループ初期化処理の実行指示である。
【００３７】
図４は、グループ設定画面の一例を示す図である。図４に示されるように、グループ設定画面１８０は、コマンド選択領域１８１と、信号発生器選択領域１８７と、送信ボタン１９３とを含む。
【００３８】
コマンド選択領域１８１は、グループ分け指示またはグループ初期化指示のいずれかを選択するための領域であり、グループ初期化指示を入力するためのコマンド要求ボタン１８３と、グループ分け指示を入力するためのコマンド要求ボタン１８５とを含む。ユーザが操作部７を操作してコマンド要求ボタン１８３を指示すると、グループ初期化指示が受け付けられる。また、ユーザが操作部７を操作してコマンド要求ボタン１８５を指示すると、グループ分け指示が受け付けられる。
【００３９】
また、信号発生器選択領域１８７は、画像データの送信先となる信号発生器５０Ａ，５０Ｂのいずれかを選択するための領域であり、信号発生器５０Ａを選択するための選択ボタン１８９と、信号発生器５０Ｂを選択するための選択ボタン１９１とを含む。
【００４０】
また、送信ボタン１９３は、コマンド送信部３７からのコマンドの送信、および、制御信号送信部３９からの制御信号の送信の実行を指示するためのボタンである。
【００４１】
操作受付部３１は、グループ設定画面１８０において、信号発生器５０Ａおよび信号発生器５０Ｂのうちユーザにより指定された信号発生器の識別情報と、ＨＤＤ３から読み出された画像データ４５とを制御信号生成部３３に出力する。
【００４２】
また、操作受付部３１は、グループ設定画面１８０においてグループ初期化指示およびグループ分け指示のうちユーザにより指定された指示をコマンド生成部３５に出力する。
【００４３】
さらに、操作受付部３１は、送信ボタン１９３が操作されると、コマンド送信部３７への出力指示をコマンド生成部３５に出力するとともに、制御信号送信部３９への出力指示を制御信号生成部３３に出力する。
【００４４】
制御信号生成部３３は、操作受付部３１から、画像データ４５と、信号発生器５０Ａおよび信号発生器５０Ｂのうちのいずれかの識別情報とが入力される。制御信号生成部３３は、操作受付部３１から信号発生器５０Ａおよび信号発生器５０Ｂのうちのいずれかの識別情報が入力されると、当該識別情報で示される信号発生器による映像信号の発生をＯＮ状態に制御するための制御信号を生成する。
【００４５】
具体的には、制御信号生成部３３は、操作受付部３１から信号発生器５０Ａの識別情報が入力される場合、信号発生器５０Ａによる映像信号の発生をＯＮ状態にし、信号発生器５０Ｂによる映像信号の発生をＯＦＦ状態にする制御信号を生成する。制御信号生成部３３は、操作受付部３１から信号発生器５０Ｂの識別情報が入力される場合、信号発生器５０Ａによる映像信号の発生をＯＦＦ状態にし、信号発生器５０Ｂによる映像信号の発生をＯＮ状態にする制御信号を生成する。制御信号生成部３３は、操作受付部３１から出力指示を受けると、生成した制御信号と操作受付部３１から入力された画像データ４５とを制御信号送信部３９に出力する。
【００４６】
制御信号送信部３９は、制御信号生成部３３から制御信号および画像データ４５が入力される。制御信号送信部３９は、制御信号生成部３３から制御信号および画像データ４５が入力されると、制御信号生成部３３から入力された制御信号および画像データ４５を信号発生器５０Ａおよび信号発生器５０Ｂに出力する。
【００４７】
コマンド生成部３５は、操作受付部３１からグループ初期化指示またはグループ分け指示のいずれかが入力される。コマンド生成部３５は、グループ分けコマンド生成部４１と、グループ初期化コマンド生成部４３とを含む。
【００４８】
グループ初期化コマンド生成部４３は、操作受付部３１からグループ初期化指示が入力されると、グループの初期化を要求するグループ初期化コマンドを生成する。グループ初期化コマンド生成部３５は、操作受付部３１から出力指示を受けると、生成したグループ初期化コマンドをコマンド送信部３７に出力する。ここで、グループ初期化コマンドは、各ディスプレイ装置に既に割り当てられていた、グループを識別するためのグループ識別情報を初期化するためのコマンドである。
【００４９】
グループ分けコマンド生成部４１は、操作受付部３１からグループ分け指示が入力されるごとに、グループ分けを要求するグループ分けコマンドを生成する。ここで、グループ分けコマンドは、グループを識別するための更新用のグループ識別情報（更新用識別情報）を含む。更新用のグループ識別情報は、例えば、番号であってもよいし、アルファベットでもよい。グループ分けコマンド生成部４１は、操作受付部３１から出力指示を受けると、生成したグループ分けコマンドをコマンド送信部３７に出力する。
【００５０】
なお、グループ分けコマンド生成部４１は、前回グループ初期化コマンドを送信してからすでにグループ識別情報を含むグループ分けコマンドを生成している場合において、操作受付部３１からグループ分け指示が入力されると、すでに生成されたグループ識別情報とは異なるグループ識別情報を含むグループ分けコマンドを新たに生成する。このように、グループ分けコマンド生成部４１は、ユーザによりグループ分け指示が入力されることに応じて、複数のグループ識別情報それぞれを含む複数のグループ分けコマンドを生成する。そして、グループ分けコマンド生成部４１は、操作受付部３１から出力指示を受けると、生成したグループ分けコマンドをコマンド送信部３７に出力する。
【００５１】
コマンド送信部３７は、グループ分けコマンド生成部４１からグループ分けコマンドが入力されるごとに、グループ分けコマンド生成部４１から入力されるグループ分けコマンドをディスプレイ装置２００−１に送信する。
【００５２】
また、コマンド送信部３７は、グループ初期化コマンド生成部４３からグループ初期化コマンドが入力される場合、グループ初期化コマンド生成部４３から入力されたグループ初期化コマンドをディスプレイ装置２００−１に送信する。
【００５３】
＜信号発生器の構成＞
図５は、信号発生器のハードウエア構成の一例を示すブロック図である。ここで、信号発生器５０Ａ，５０Ｂそれぞれの構成および機能は同じであるので、信号発生器５０Ａを例に説明する。図５に示されるように、信号発生器５０Ａは、信号処理部５１と、映像信号発生部５３と、制御信号入力部５５と、映像信号出力部５７を含む。
【００５４】
制御信号入力部５５は、制御用ＰＣ１と通信可能であり、制御用ＰＣ１から制御信号および画像データ４５を受信する。また、映像信号出力部５７は、分配器７０Ａを介して、ディスプレイ装置２００−１，２００−２，２００−５，２００−６それぞれに映像信号を出力する。
【００５５】
信号処理部５１は、制御信号入力部５５を介して、制御用ＰＣ１から制御信号および画像データ４５が入力される。信号処理部５１は、制御用ＰＣ１から入力された制御信号がＯＮ状態を示す信号であるか否かを判断する。信号処理部５１は、制御用ＰＣ１から入力された制御信号がＯＮ状態を示す信号であるならば、画像データ４５を映像信号発生部５３に出力するが、そうでなければ画像データ４５を処理しない。
【００５６】
映像信号発生部５３は、信号処理部５１から画像データ４５が入力される。映像信号発生部５３は、信号処理部５１から画像データが入力されると、当該画像データ４５に基づいて映像信号を生成し、生成した映像信号を分配器７０Ａに出力する。上述したように、分配器７０Ａは、ディスプレイ装置２００−１，２００−２，２００−５，２００−６と並列に接続されているので、映像信号は、ディスプレイ装置２００−１，２００−２，２００−５，２００−６それぞれに入力される。
【００５７】
＜ディスプレイ装置の構成＞
図６は、ディスプレイ装置のハードウエア構成の一例を示すブロック図である。ここで、ディスプレイ装置２００−１〜２００−８それぞれの構成および機能は同じであるので、ディスプレイ装置２００−１について説明する。図６に示されるように、ディスプレイ装置２００−１は、ディスプレイ装置２００−１の全体を制御するためのＣＰＵ１０１と、映像入力端子（表示処理部）１０２と、映像信号処理部１０３と、映像出力端子１０４と、映像信号出力処理部１０５と、ディスプレイ装置２００−１を外部と接続するための第１シリアル信号入出力端子１０６および第２シリアル信号入出力端子１０７と、シリアル通信処理部１０８と、表示処理部１０９と、表示部（表示手段）１１０と、映像信号処理部１０３の作業領域として用いる表示メモリ１１１と、ＣＰＵ１０１が実行するプログラム等を記憶するためのＲＯＭ１１２と、ＣＰＵ１０１の作業領域として用いられるＲＡＭ１１３と、ＩＲ信号（Infrared signal）を受信するＩＲ信号処理部１１４と、大容量記憶装置としてのＨＤＤ（記憶手段）１１６とを備える。
【００５８】
映像入力端子１０２は、映像信号が入力される端子である。入力される信号としては、（１）１線式のＹ・Ｃ信号、（２）２線式のＹ・Ｃ信号、（３）３線式のＹＵＶ信号、（４）３線式のＲＧＢ信号、（５）ＲＧＢ３線式信号に同期信号１線を加えた信号、（６）ＲＧＢ３線式信号に同期信号２線を加えた信号、（７）ＹＵＶ３線式信号に同期信号１線を加えた信号、（８）ＹＵＶ３線式信号に同期信号２線を加えた信号、（９）上記（５）〜（８）をエンコードした信号（ＴＭＤＳなど）、などがある。映像入力端子１０２は、これらのうち複数、または、同種信号を複数入力するための複数の端子を有していてもよい。本実施形態では、映像入力端子１０２は、複数の端子を有するものとする。
【００５９】
映像信号処理部１０３は、映像入力端子１０２が有する端子のうちどの端子から信号を受信するかを選択する機能を有し、選択した端子から入力される映像信号を処理する。具体的には、映像信号処理部１０３は、信号発生器５０Ａから分配器７０Ａを介して入力された映像信号を、ＲＧＢ信号もしくはＹＵＶ信号と水平動機信号、垂直動機信号に分離するための所定の処理を実行し、ＣＰＵ１０１を通じて、表示メモリ１１１に処理した映像信号を記憶する。
【００６０】
映像出力端子１０４は、映像信号を出力するための端子である。
【００６１】
映像信号出力処理部１０５は、映像信号処理部１０３が処理することにより表示メモリ１１１に記憶された映像信号に時間的および空間的にフィルタリング等を行うことで、映像に変更を加える処理を行うものである。例えば、ディスプレイ装置２００−１を含む複数のディスプレイ装置を用いて１つの映像を表示させる場合、映像信号出力処理部１０５は、ディスプレイ装置２００−１と他のディスプレイ装置との位置関係に応じて、ディスプレイ装置２００−１の表示部１１０に表示される映像の映像信号を、表示メモリ１１１に記憶された映像信号から切り出す。そして、映像信号出力処理部１０５は、切り出した映像信号に、表示部１１０の大きさに応じた拡大処理を実行し、拡大処理された映像信号を表示メモリ１１１に格納する。
【００６２】
第１シリアル信号入出力端子１０６は、制御用ＰＣ１が出力したコマンドを入力し、このコマンドをシリアル通信処理部１０８を通じてＣＰＵ１０１に出力する。ＣＰＵ１０１は、制御用ＰＣ１から入力されたコマンドを処理し、必要に応じて応答動作する。また、ＣＰＵ１０１は、制御用ＰＣ１が出力するコマンドをシリアル通信処理部１０８および第２シリアル信号入出力端子１０７を介して外部に出力する。具体的には、ＣＰＵ１０１は、ディスプレイ装置２００−１に接続されたディスプレイ装置２００−２にコマンドを出力する。ここで、上述したようにディスプレイ装置２００−１〜２００−８それぞれはデイジーチェーン接続されているので、ディスプレイ装置２００−ｋが受信したコマンドは、ディスプレイ装置２００−ｋからディスプレイ装置２００−（ｋ＋１）に送信される。
【００６３】
シリアル通信処理部１０８は、第１シリアル信号入出力端子１０６（または第２シリアル信号入出力端子１０７）、から入力された信号のデコードを行い、バイナリデータもしくは文字データへ変換を行ってＣＰＵ１０１に渡す。また、シリアル通信処理部１０８は、ＣＰＵ１０１によって生成された文字データもしくはバイナリデータを受け取り、エンコードを行い、第２シリアル信号入出力端子１０７（または第１シリアル信号入出力端子１０６）を介して信号を外部に送信する。
【００６４】
表示処理部１０９は、表示メモリ１１１に一時的に記憶された映像信号に各種の処理を施し、映像信号を表示部１１０に出力する。各種の処理は、例えば、映像信号を表示部１１０が受信可能な形式に変換する処理である。
【００６５】
表示部１１０は、表示処理部１０９が処理する映像を表示する装置であり、例えば、液晶表示パネル、ＣＲＴ、プラズマ表示パネル等である。
【００６６】
表示メモリ１１１は、ＣＰＵ１０１、映像信号処理部１０３および映像信号出力処理部１０５が表示処理および表示用加工処理を行うために一時的に映像信号を記憶するためのものである。
【００６７】
ＩＲ信号処理部１１４は、ディスプレイ装置２００−１に付属されたＩＲ信号送信装置１１５から出力されたＩＲ信号を受信し、受信した信号をデコードしてＣＰＵ１０１に出力するものである。ここで、ＩＲ信号送信装置１１５は、ＩＲ信号処理部１１４との間であらかじめ決められた信号を送信する装置であり、例えば、メニュー表示、上、下、左、右の５つの信号を送信する。
【００６８】
図７は、ディスプレイ装置が備えるＣＰＵの機能をＨＤＤに記憶されたデータとともに示すブロック図である。図７に示されるように、ディスプレイ装置２００−１は、映像信号受付部１３１と、コマンド受付部１３３と、コマンド判断部１３５と、グループ情報設定部（グループ設定部）１３９と、グループ情報初期化部１４１とを含む。
【００６９】
映像信号受付部１３１は、映像信号処理部１０３が出力する映像信号を受け付ける。映像信号受付部１３１は、映像信号処理部１０３から映像信号を受け付けると、映像信号の入力があった旨をグループ情報設定部１３９に出力する。
【００７０】
コマンド受付部１３３は、シリアル通信処理部１０８が出力するコマンドを受け付ける。コマンド受付部１３３は、シリアル通信処理部１０８からコマンドを受け付けると、受け付けたコマンドをコマンド判断部１３５に出力する。
【００７１】
コマンド判断部１３５は、コマンド受付部１３３からコマンドが入力される。コマンド判断部１３５は、コマンド受付部１３３からコマンドが入力されると、入力されたコマンドがグループ初期化コマンドおよびグループ分けコマンドのいずれであるかを判断する。コマンド判断部１３５は、コマンド受付部１３３から入力されたコマンドがグループ初期化コマンドおよびグループ分けコマンドのいずれかであると判断したならば、ＨＤＤ１１６に記憶されたディスプレイ識別情報およびグループ識別情報を抽出する。ここで、ディスプレイ識別情報は、ディスプレイ装置を識別するための情報であり、グループ識別情報は、複数のディスプレイ装置２００−１〜２００−８それぞれが所属するグループを特定するための識別情報（所属グループ識別情報）である。コマンド判断部１３５は、ＨＤＤ１１６から抽出したディスプレイ識別情報およびグループ識別情報を表示処理部１０９に出力する。これにより、表示処理部１０９は、コマンド判断部１３５から入力されたディスプレイ識別情報およびグループ識別情報に基づいてグループ分表示画面を表示部１１０に表示する。ここで、グループ分表示画面は、複数のディスプレイ装置２００−１〜２００−８それぞれが属するグループのグループ識別情報と、ディスプレイ識別情報とを表示するための画面である。
【００７２】
また、コマンド判断部１３５は、コマンド受付部１３３からグループ初期化コマンドが入力されたと判断したならば、グループ分けを初期化する指示をグループ情報初期化部１４１に出力する。
【００７３】
コマンド判断部１３５は、抽出部１３７を備える。抽出部１３７は、コマンド受付部１３３からグループ分けコマンドが入力された場合、グループ分けコマンドに含まれる更新用のグループ識別情報を抽出し、抽出した更新用のグループ識別情報をグループ情報設定部１３９に出力する。
【００７４】
グループ情報初期化部１４１は、コマンド判断部１３５からグループ分けを初期化する指示が入力される。グループ情報初期化部１４１は、コマンド判断部１３５からグループ分けを初期化する指示が入力されると、ディスプレイ識別情報を設定するとともに、ＨＤＤ１１６に記憶されていたグループ識別情報を消去する（グループ識別情報を「なし（null）」状態に初期化する）。
【００７５】
具体的には、グループ情報初期化部１４１は、コマンド受付部１３３が受け付けたグループ初期化コマンドにディスプレイ識別情報が付加されていない場合、ディスプレイ識別情報として「１」を設定する。一方、グループ情報初期化部１４１は、コマンド受付部１３３が受け付けたグループ初期化コマンドにディスプレイ識別情報が付加されている場合、付加されていたディスプレイ識別情報に１だけ加算した値を、自装置であるディスプレイ装置を識別するためのディスプレイ識別情報として設定する。例えば、グループ初期化コマンドにディスプレイ識別情報「１」が付加されている場合、グループ情報初期化部１４１は、自装置であるディスプレイ装置を識別するためのディスプレイ識別情報として「２」を設定する。そして、グループ情報初期化部１４１は、設定したディスプレイ識別情報をＨＤＤ１１６に格納する。
【００７６】
また、グループ情報初期化部１４１は、設定したディスプレイ識別情報をグループ初期化コマンドに付加し、シリアル通信処理部１０８に対して、当該グループ初期化コマンドを第２シリアル信号入出力端子１０７から出力するように制御する。具体的には、コマンド受付部１３３が受け付けたグループ初期化コマンドにディスプレイ識別情報が付加されていない場合、グループ情報初期化部１４１は、設定したディスプレイ識別情報「１」が付加されたグループ初期化コマンドを第２シリアル信号入出力端子１０７から出力するように制御する。一方、コマンド受付部１３３が受け付けたグループ初期化コマンドにディスプレイ識別情報が付加されていた場合、グループ情報初期化部１４１は、付加されていたディスプレイ識別情報に代えて、新たに自装置に対して設定したディスプレイ識別情報が付加されたグループ初期化コマンドを第２シリアル信号入出力端子１０７から出力するように制御する。これにより、ディスプレイ装置２００−１〜２００−８は、この順でデイジーチェーン接続されているため、連番のディスプレイ識別情報が設定されることとなる。
【００７７】
さらに、グループ情報初期化部１４１は、ＨＤＤ１１６に記憶されたグループ識別情報を消去することにより、ＨＤＤ１１６に記憶されたグループ識別情報が初期化される。
【００７８】
グループ情報設定部１３９は、映像信号受付部１３１から映像信号の入力があった旨が入力され、抽出部１３７から更新用のグループ識別情報が入力される。グループ情報設定部１３９は、映像信号受付部１３１から映像信号の入力があった旨が入力された場合、抽出部１３７から受けた更新用のグループ識別情報を新たに設定すべきグループ識別情報として、ＨＤＤ１１６に格納する。すなわち、グループ情報設定部１３９は、映像信号が入力されている場合に限り（つまり、表示部１１０に映像が表示されている場合に限り）、抽出部１３７により抽出されたグループ識別情報を新たなグループ識別情報（所属グループ識別情報）としてＨＤＤ１１６に設定（更新）する。したがって、ユーザは、同一のグループ識別情報を設定したい複数のディスプレイ装置に対して映像信号が入力されるように設定するだけで、これら複数のディスプレイ装置に対して同一のグループ識別情報を設定することができる。つまり、映像信号が入力されている複数のディスプレイ装置を同一のグループに属するように設定することができる。
【００７９】
＜グループ分けの処理の流れ＞
以下、グループ分けの具体的な処理の流れについて説明する。
まず、制御用ＰＣ１における処理の流れについて、図８を参照しながら説明する。図８は、制御用ＰＣ１におけるコマンド送信の処理の流れを示すフローチャートである。
【００８０】
図８に示されるように、まず、操作受付部３１は、例えば図４に示されるような、グループ設定指示を受け付けるためのグループ設定画面１８０を表示部５に表示する（Ｓ１）。
【００８１】
次に、操作受付部３１は、グループ設定画面１８０に対して、グループ初期化指示が入力されたか否かを判断する（Ｓ２）。グループ初期化指示が入力された場合（Ｓ２でＹｅｓ）、操作受付部３１は、グループ初期化指示をグループ初期化コマンド生成部４３に出力する。これにより、Ｓ６において、グループ初期化コマンド生成部４３は、グループ初期化コマンドを生成する。
【００８２】
一方、グループ初期化指示が入力されない場合（Ｓ２でＮｏ）、操作受付部３１は、グループ分け指示がグループ設定画面１８０に入力されたか否かを判断する（Ｓ３）。グループ分け指示が入力されてない場合（Ｓ３でＮｏ）、操作受付部３１は、信号発生器５０Ａ，５０Ｂの選択指示が入力されたか否かを判断する（Ｓ４）。Ｓ４においてＮｏの場合、Ｓ２の処理に戻る。
【００８３】
グループ分け指示がグループ設定画面１８０に入力された場合（Ｓ３でＹｅｓ）、もしくは、信号発生器５０Ａ，５０Ｂの選択指示が入力された場合（Ｓ４でＹｅｓ）、操作受付部３１は、グループ分け指示および信号発生器５０Ａ，５０Ｂの選択指示の両者が入力されているか否かを判断する（Ｓ５）。どちらか一方のみが入力されている場合（Ｓ５でＮｏ）、Ｓ２の処理に戻る。一方、グループ分け指示および信号発生器５０Ａ，５０Ｂの選択指示の両者が入力されている場合、操作受付部３１は、グループ分け指示をグループ分けコマンド生成部４１に出力する。これにより、Ｓ６において、グループ分けコマンド生成部４１は、グループ分けコマンドを生成する。
【００８４】
なお、上述したように、グループ分けコマンド生成部４１は、前回グループ初期化コマンドを送信してからすでにグループ識別情報を含むグループ分けコマンドを生成している場合、すでに生成されたグループ識別情報とは異なるグループ識別情報を含むグループ分けコマンドを生成する。
【００８５】
また、Ｓ５でＹｅｓの場合、操作受付部３１は、Ｓ６において、信号発生器５０Ａおよび信号発生器５０Ｂのうちユーザにより指定された信号発生器の識別情報と、ＨＤＤ３から読み出された画像データ４５とを制御信号生成部３３に出力する。これにより、Ｓ６にいて、制御信号生成部３３は、受けた信号発生器の識別情報に基づいて、上述した制御信号を生成する。
【００８６】
その後、操作受付部３１は、グループ設定画面１８０において送信ボタン１９３が押下されたか否かを判断し（Ｓ７）、送信ボタン１９３が押下された場合（Ｓ７でＹｅｓ）、出力指示をコマンド生成部３５および制御信号生成部３３に出力する。これにより、コマンド送信部３７は、コマンド生成部３５により生成されたコマンドをディスプレイ装置２００−１〜２００−８に送信する。また、制御信号送信部３９は、制御信号生成部３３により生成された制御信号と画像データとを信号発生器５０Ａ，５０Ｂに送信する（Ｓ８）。
【００８７】
続いて、操作受付部３１は、次の指示の入力の有無を判断し（Ｓ９）、次の指示がある場合には（Ｓ９でＹｅｓ）、Ｓ２の処理に戻る。
【００８８】
次に、ディスプレイ装置２００−１〜２００−８における処理の流れについて、図９を参照しながら説明する。図９は、ディスプレイ装置２００−１〜２００−８におけるグループ設定処理の流れを示すフローチャートである。
【００８９】
図９に示されるように、まず、コマンド受付部１３３は、制御用ＰＣ１または前段に接続されているディスプレイ装置から、コマンドを受け付けたか否かを判断する（Ｓ１１）。
【００９０】
コマンドを受け付けた場合（Ｓ１１でＹｅｓ）、コマンド判断部１３５は、受け付けたコマンドを解析して、コマンドの種類を判断する（Ｓ１２）。受け付けたコマンドがグループ初期化コマンドである場合（Ｓ１３でＹｅｓ）、コマンド判断部１３５は、グループ分けを初期化する指示をグループ情報初期化部１４１に出力する。
【００９１】
続いて、グループ情報初期化部１４１は、ディスプレイ識別情報を設定し、設定したディスプレイ情報をＨＤＤ１１６に格納する。さらに、グループ情報初期化部１４１は、ＨＤＤ１１６に格納されているグループ識別情報を消去することで、グループ識別情報を初期化する（Ｓ１６）。そして、次のディスプレイ装置に対して、グループ初期化コマンドを第２シリアル信号入出力端子１０７を介して出力する（Ｓ１７）。この際、上述したように、設定したディスプレイ識別情報が付加されたグループ初期化コマンドを送信する。
【００９２】
一方、受け付けたコマンドがグループ分けコマンドである場合、グループ識別情報の設定処理が実行される（Ｓ１７）。その後、次のディスプレイ装置に対して、グループ分けコマンドを第２シリアル信号入出力端子１０７を介して出力する（Ｓ１７）。
【００９３】
なお、受け付けたコマンドがグループ分けコマンドではない場合も（Ｓ１４でＮｏ）、次のディスプレイ装置に対して、受け付けたコマンドを第２シリアル信号入出力端子１０７を介して出力する（Ｓ１７）。
【００９４】
なお、Ｓ１３〜Ｓ１６の処理において、コマンド判断部１３５は、ＨＤＤ１１６から抽出したディスプレイ識別情報およびグループ識別情報を表示処理部１０９に出力する。これにより、現在設定されているグループ識別情報と、ディスプレイ識別情報とを含むグループ分け表示画面が表示部１１０に表示されている。
【００９５】
次に、Ｓ１５におけるグループ識別情報の設定処理の詳細について、図１０を参照しながら説明する。図１０は、Ｓ１５におけるグループ識別情報の設定処理の流れを示すフローチャートである。
【００９６】
まず、グループ情報設定部１３９は、映像信号受付部１３１から映像信号の入力があった旨が入力されたか否かを判断する（Ｓ１５１）。映像信号の入力があった旨を受けた場合（Ｓ１５１でＹｅｓ）、つまり、表示部１１０に映像が表示されている場合、グループ情報設定部１３９は、抽出部１３７によりグループ分けコマンドから抽出されたグループ識別情報を新たに設定すべきグループ識別情報として、ＨＤＤ１１６に格納する（Ｓ１５２）。
【００９７】
一方、映像信号の入力があった旨を受けていない場合（Ｓ１５１でＮｏ）、つまり、表示部１１０に映像が表示されていない場合、グループ情報設定部１３９は、グループ識別情報の設定を行うことなく、Ｓ１７の処理に移行する。
【００９８】
これにより、映像信号の入力の有無によりグループ識別情報を自動的に設定することができる。
【００９９】
＜グループ設定処理の具体例＞
以下に、既にグループ識別情報が設定されていた複数のディスプレイ装置２００−１〜２００−８の配置を図１に示されるような縦２列横４列の配置に変更した直後に、ディスプレイ装置２００−１〜２００−８を、グループ識別情報「１」を有する、左側に配置された縦２列横２列のディスプレイ装置２００−１，２００−２，２００−５，２００−６のグループと、グループ識別情報「２」を有する、右側に配置された縦２列横２列のディスプレイ装置２００−３，２００−４，２００−７，２００−８のグループと、にグループ分けする場合を例に説明する。
【０１００】
このような場合、まず、ユーザは、グループ初期化指示をグループ設定画面１８０に入力する。これにより、Ｓ６において、グループ初期化コマンドが生成される。そして、グループ設定画面１８０において送信ボタン１９３を押下することにより、グループ初期化コマンドがディスプレイ装置２００−１〜２００−８に送信される。
【０１０１】
グループ初期化コマンドを受けた各ディスプレイ装置２００−１〜２００−８では、Ｓ１６の処理が行われる。具体的には、まず、ディスプレイ識別情報の設定処理が実行される。ここで、ディスプレイ装置２００−１〜２００−８は、この順でデイジーチェーン接続されているため、ディスプレイ装置２００−１は、ディスプレイ識別情報「１」を設定する。そして、ディスプレイ装置２００−２〜２００−８は、前段に接続されているディスプレイ装置に設定されたディスプレイ識別情報に１だけ加算された値を自装置のディスプレイ識別情報として設定する。
【０１０２】
図１１は、ディスプレイ識別情報が設定されたときのグループ分け表示画面の一例を示す図である。図１１において、各ディスプレイ装置２００−１〜２００−８は、ディスプレイ識別情報およびグループ識別情報を含むグループ分け表示画面３００を表示している。なお、グループ分け表示画面３００において、「ＩＤ：  」がディスプレイ識別情報を示しており、「Ｇｒ：  」がグループ識別情報を示している。
【０１０３】
図１１に示されるように、ディスプレイ装置２００−１〜２００−８の各々には、デイジーチェーン接続されている順（つまり、ディスプレイ装置２００−１〜２００−８の順）に連番となるディスプレイ識別情報が設定されていることがわかる。なお、ディスプレイ識別情報の設定は、グループ識別情報の初期化の前に実行される。そのため、ディスプレイ識別情報が設定された時点を示す図１１では、配置変更前に既に設定されていたグループ識別情報が表示されている。
【０１０４】
その後、ディスプレイ装置２００−１〜２００−８の各々において、グループ情報初期化部１４１は、グループ初期化コマンドに従って、ＨＤＤ１１６に記憶されていたグループ識別情報を消去する。
【０１０５】
図１２は、グループ識別情報が初期化されたときのグループ分け表示画面の一例を示す図である。図１２に示されるように、ディスプレイ装置２００−１〜２００−８の各々には、グループ識別情報として、何も設定されていないことを示す「Ｇｒ：−」を含むグループ分け表示画面３００が表示されている。
【０１０６】
次に、ユーザは、グループ分け指示とともに、ディスプレイ装置２００−１，２００−２，２００−５，２００−６に映像信号を配信する信号発生器５０Ａを選択する旨の選択指示をグループ設定画面１８０に入力する。これにより、Ｓ６において、制御用ＰＣ１において、グループ識別情報「１」を含むグループ分けコマンドと、信号発生器５０Ａによる映像信号の発生をＯＮ状態にし、信号発生器５０Ｂによる映像信号の発生をＯＦＦ状態にする制御信号とが生成される。そして、グループ設定画面１８０において送信ボタン１９３を押下することにより、生成された制御信号および画像データが信号発生器５０Ａ，５０Ｂに送信されるとともに、生成されたコマンドがディスプレイ装置２００−１〜２００−８に送信される。
【０１０７】
上記の制御信号および画像データ４５が信号発生器５０Ａ，５０Ｂに送信されることにより、信号発生器５０Ａは、画像データに対応する映像信号を、分配器７０Ａを介して、ディスプレイ装置２００−１，２００−２，２００−５，２００−６に出力する。一方、信号発生器５０Ｂは、ディスプレイ装置２００−３，２００−４，２００−７，２００−８に対して何ら映像信号を出力しない。
【０１０８】
図１３は、ディスプレイ装置２００−１，２００−２，２００−５，２００−６にのみ映像信号が入力されている際のマルチディスプレイシステムを示す図である。
【０１０９】
図１３に示されるように、ディスプレイ装置２００−１は、映像画面４１０の上にグループ分け表示画面３００を重ねて表示させている。同様に、ディスプレイ装置２００−２は、映像画面４２０の上にグループ分け表示画面３００を重ねて表示させ、ディスプレイ装置２００−５は、映像画面４３０の上にグループ分け表示画面３００を重ねて表示させ、ディスプレイ装置２００−６は、映像画面４４０の上にグループ分け表示画面３００を重ねて表示させている。
【０１１０】
ここで、映像画面４１０〜４４０は、信号発生器５０Ａから出力される映像信号に対応する映像が表示されている画面である。映像信号は、信号発生器５０Ａがそれと並列に接続されたディスプレイ装置２００−１，２００−２，２００−５，２００−６それぞれに出力されるものである。上述したように、ディスプレイ装置２００−２は、ディスプレイ装置２００−１よりも右に位置し、ディスプレイ装置２００−６は、ディスプレイ装置２００−２よりも上に位置し、ディスプレイ装置２００−５は、ディスプレイ装置２００−１よりも上に位置する。したがって、映像画面４１０〜４４０それぞれは、ディスプレイ装置２００−１，２００−２，２００−５，２００−６それぞれの位置関係とディスプレイ装置の台数とに基づいて、映像信号を分割したうちの１つが表示される。具体的には、映像画面４１０は、映像信号を４分割したうちの左下の映像に対応し、映像画面４２０は、映像信号を４分割したうちの右下の映像に対応し、映像画面４３０は、映像信号を４分割したうちの左上の映像に対応し、映像画面４４０は、映像信号を４分割したうちの右上の映像に対応している。
【０１１１】
これにより、ユーザは、ディスプレイ装置２００−１〜２００−８のうち映像が表示されているディスプレイ装置２００−１，２００−２，２００−５，２００−６を確認することにより、ユーザが意図したディスプレイ装置に映像を表示できているかを確認することができる。
【０１１２】
なお、ディスプレイ装置２００−１〜２００−８それぞれが備えるＨＤＤ１１６に、所属するグループにおける、それぞれの位置関係とディスプレイ装置の台数とを示す位置情報を記憶させておく。映像信号の分割の際には、ディスプレイ装置２００−１，２００−２，２００−５，２００−６それぞれがＨＤＤ１１６から位置情報を読み出し、読み出した位置情報に基づいて分割すればよい。位置情報は、具体的には、所属するグループにおける、複数のディスプレイ装置の横方向の数および縦方向の数と、横方向の位置および縦方向の位置とを含む情報である。
【０１１３】
また、ＨＤＤ１１６に格納される位置情報の変更が可能である。グループ設定処理を行う際には、各ディスプレイ装置２００のＨＤＤ１１６に正しい位置情報が記憶されていないことが考えられる。そのため、各ディスプレイ装置２００の配置に応じて、位置情報を適当なタイミングで変更すればよい。この場合、例えば制御用ＰＣ１が、ユーザが操作部７を操作することにより位置情報を変更する指示を受け付ける。そして、ディスプレイ２００−１，２００−２，２００−５，２００−６のうち変更の対象となったディスプレイ装置に対応した位置情報を、変更を受け付けた内容で更新させるコマンドを当該ディスプレイ装置に送信すればよい。
【０１１４】
または、制御用ＰＣ１に代えて、ディスプレイ装置２００−１〜２００−８それぞれを制御可能なリモートコントローラ等でディスプレイ装置２００−１，２００−２，２００−５，２００−６を操作して、ディスプレイ装置２００−１，２００−２，２００−５，２００−６それぞれの位置情報を変更してもよい。
【０１１５】
続いて、グループ分けコマンドを受けた各ディスプレイ装置２００−１〜２００−８では、Ｓ１５の処理が実行される。
【０１１６】
ここでは、映像信号が入力されているディスプレイ装置２００−１，２００−２，２００−５，２００−６では、抽出部１３７がグループ分けコマンドからグループ識別情報「１」を抽出し、グループ情報設定部１３９に出力する。また、ディスプレイ装置２００−１，２００−２，２００−５，２００−６では、映像信号受付部１３１が映像信号が入力されている旨の信号をグループ情報設定部１３９に出力する。これにより、グループ情報設定部１３９は、図１０のＳ１５１においてＹｅｓと判断し、Ｓ１５２においてグループ分けコマンドから抽出したグループ識別情報「１」をＨＤＤ１１６に記憶する。これにより、ディスプレイ装置２００−１，２００−２，２００−５，２００−６では、同一のグループ識別情報「１」が設定されることとなる。
【０１１７】
一方、映像信号が入力されていないディスプレイ装置２００−３，２００−４，２００−７，２００−８では、映像信号受付部１３１が映像信号が入力されている旨の信号をグループ情報設定部１３９に出力しない。そのため、グループ情報設定部１３９は、図１０のＳ１５１においてＮｏと判断し、グループ識別情報の設定処理を行わない。
【０１１８】
図１４は、この段階におけるマルチディスプレイシステムを示す図である。図１４に示されるように、映像が表示されているディスプレイ装置２００−１，２００−２，２００−５，２００−６のグループ分け表示画面３００には、新たに設定されたグループ識別情報として「Ｇｒ：１」が表示されている。一方、映像が表示されていないディスプレイ装置２００−３，２００−４，２００−７，２００−８では、グループ識別情報が設定されていないため、図１２と同様のグループ分け表示画面３００を表示させている。したがって、ユーザは、ディスプレイ装置２００−１，２００−２，２００−５，２００−６が同一のグループに属することを視認することができる。
【０１１９】
次に、ユーザは、グループ分け指示とともに、ディスプレイ装置２００−３，２００−４，２００−７，２００−８に映像信号を配信する信号発生器５０Ｂを選択する旨の選択指示をグループ設定画面１８０に入力する。これにより、Ｓ６において、制御用ＰＣ１において、グループ識別情報を含むグループ分けコマンドと、信号発生器５０Ｂによる映像信号の発生をＯＮ状態にし、信号発生器５０Ａによる映像信号の発生をＯＦＦ状態にする制御信号とが生成される。なお、グループ分けコマンドに含まれるグループ識別情報には、既に生成しているグループ識別情報「１」とは異なるグループ識別情報「２」が設定される。
【０１２０】
そして、グループ設定画面１８０において送信ボタン１９３を押下することにより、生成された制御信号および画像データ４５が信号発生器５０Ａ，５０Ｂに送信されるとともに、生成されたコマンドがディスプレイ装置２００−１〜２００−８に送信される。
【０１２１】
この場合、信号発生器５０Ｂは、画像データ４５に対応する映像信号を、分配器７０Ｂを介して、ディスプレイ装置２００−３，２００−４，２００−７，２００−８に出力する。一方、信号発生器５０Ｂは、ディスプレイ装置２００−１，２００−２，２００−５，２００−６に対して何ら映像信号を出力しない。そのため、グループ分けコマンドを受けた各ディスプレイ装置２００−１〜２００−８では、次のような処理が実行される。
【０１２２】
すなわち、ディスプレイ装置２００−３，２００−４，２００−７，２００−８の各々は、映像画面５１０〜５４０の上にグループ分け表示画面３００を重ねて表示させる。一方、ディスプレイ装置２００−１，２００−２，２００−５，２００−６は、映像信号を受けないので、グループ分け表示画面３００のみを表示している。
【０１２３】
そして、映像信号が入力されているディスプレイ装置２００−３，２００−４，２００−７，２００−８では、抽出部１３７がグループ分けコマンドからグループ識別情報「２」を抽出し、グループ情報設定部１３９に出力する。また、ディスプレイ装置２００−３，２００−４，２００−７，２００−８では、映像信号受付部１３１により映像信号が入力されている旨の信号がグループ情報設定部１３９に出力される。これにより、グループ情報設定部１３９は、図１０のＳ１５１においてＹｅｓと判断し、Ｓ１５２においてグループ分けコマンドから抽出したグループ識別情報「２」をＨＤＤ１１６に記憶する。これにより、ディスプレイ装置２００−３，２００−４，２００−７，２００−８では、同一のグループ識別情報「１」が設定されることとなる。
【０１２４】
一方、映像信号が入力されていないディスプレイ装置２００−１，２００−２，２００−５，２００−６では、映像信号受付部１３１は映像信号が入力されている旨の信号をグループ情報設定部１３９に出力しない。そのため、グループ情報設定部１３９は、図１０のＳ１５１においてＮｏと判断し、グループ識別情報の設定処理を行わない。よって、前回設定されたグループ識別情報「１」がそのまま維持されることとなる。
【０１２５】
図１５は、この段階におけるマルチディスプレイシステムを示す図である。図１５に示されるように、映像が表示されているディスプレイ装置２００−３，２００−４，２００−７，２００−８のグループ分け表示画面３００には、新たに設定されたグループ識別情報として「Ｇｒ：２」が表示されている。これにより、ユーザは、ディスプレイ装置２００−３，２００−４，２００−７，２００−８が同一のグループに属することを視認することができる。
【０１２６】
上述したように、ディスプレイ装置２００−１は、信号発生器５０Ａが出力する映像信号を受け付けているときに、制御用ＰＣ１が出力するグループ識別情報「１」を含むグループ分けコマンドを受け付けることにより、グループ識別情報「１」を設定する。同様にして、ディスプレイ装置２００−２，２００−５，２００−６それぞれも、グループ識別情報「１」を設定する。
【０１２７】
一方、ディスプレイ装置２００−３は、信号発生器５０Ｂが出力する映像信号を受け付けているときに、制御用ＰＣ１が出力するグループ識別情報「２」を含むグループ分けコマンドを受け付けることにより、グループ識別情報「２」を設定する。同様にして、ディスプレイ装置２００−４，２００−７，２００−８それぞれも、グループ識別情報「２」を設定する。
【０１２８】
このように、ディスプレイ装置２００は、複数のディスプレイ装置２００が互いに隣接するように配置され、当該複数のディスプレイ装置２００が少なくとも１つのグループに分けられるマルチディスプレイシステムを構成する表示装置である。そして、ディスプレイ装置２００は、表示部１１０と、映像信号を受信し、受信した映像信号に基づいた映像を表示手段に表示させる映像入力端子１０２および表示処理部１０９と、所属するグループを示すグループ識別情報（所属グループ識別情報）を記憶するためのＨＤＤ１１６と、所属するグループの設定を指示するグループ分けコマンドを受け付けるコマンド受付部１３３と、コマンド受付部１３３がグループ分けコマンドを受け付けたとき、映像信号の受信の有無に応じて、グループ識別情報の設定を行うか否かを判断し、グループ識別情報の設定を行うと判断した場合に、グループ分けコマンドに基づいてグループ識別情報をＨＤＤ１１６に設定（更新）するグループ情報設定部１３９とを備える。そのため、ユーザが信号発生器５０Ａまたは信号発生器５０Ｂと、ディスプレイ装置２００−１〜２００−８のうちの少なくとも１つとを接続し、制御用ＰＣ１にグループ分け設定の指示と映像信号を発生させる指示とを入力することにより、映像信号を受け付け、グループ分け設定の指示を受け付けた少なくとも１つのディスプレイ装置が共通のグループに設定される。したがって、ユーザは、複数のディスプレイ装置で１つの映像を表示するためのグループ分けを簡単にすることができる。
【０１２９】
＜変形例＞
本発明は、上記の実施形態に限定されるものではなく、様々な変更が可能である。以下、変形例について説明する。
【０１３０】
＜変形例１＞
上記の説明では、映像信号が入力されているディスプレイ装置２００において、グループ情報設定部１３９が、グループ分けコマンドから抽出したグループ識別情報を自装置のグループ識別情報として設定するものとした。しかしながら、本発明はこの形態に限定されるものではない。例えば、逆に、映像信号が入力されていないディスプレイ装置２００において、グループ情報設定部１３９が、グループ分けコマンドから抽出したグループ識別情報を自装置のグループ識別情報として設定してもよい。
【０１３１】
図１６は、本変形例１における、Ｓ１５の処理を流れを示すフローチャートである。図１６に示されるように、まず、グループ情報設定部１３９は、映像信号受付部１３１から映像信号の入力があった旨が入力されたか否かを判断する（Ｓ１５３）。そして、映像信号の入力があった旨を受けた場合（Ｓ１５３でＹｅｓ）、つまり、表示部１１０に映像が表示されている場合、グループ情報設定部１３９は、グループ識別情報の設定を行うことなく、Ｓ１７の処理に移行する。一方、映像信号の入力があった旨を受けていない場合（Ｓ１５３でＮｏ）、つまり、表示部１１０に映像が表示されていない場合、グループ情報設定部１３９は、抽出部１３７によりグループ分けコマンドから抽出されたグループ識別情報を新たに設定すべきグループ識別情報として、ＨＤＤ１１６に格納する（Ｓ１５４）。
【０１３２】
この変形例でも、映像信号の入力の有無によりグループ識別情報を自動的に設定することができる。
【０１３３】
また、ディスプレイ装置２００は、グループ情報設定部１３９の処理を、図１０に示す処理とするか、図１６に示す処理とするかを切り換える切換部を備えていてもよい。ここで、図１０に示す処理は、映像信号が入力されているときにグループ識別情報を設定する信号検出時設定モードであり、図１６に示す処理は、映像信号が入力されていないときにグループ識別情報を設定する信号未検出時設定モードである。つまり、切換部は、ユーザ入力に応じて、信号検出時設定モードか信号未検出時設定モードかのいずれかにモードを設定する。
【０１３４】
図１７は、このような切換部を有している場合のＳ１５の処理の流れを示すフローチャートである。図１７に示されるように、切換部を有している場合、図１０に示す処理に加えてＳ１５５およびＳ１５６の処理が加わる。
【０１３５】
映像信号の入力があった場合（Ｓ１５１でＹｅｓ）、グループ情報設定部１３９は、切換部により設定されているモードが信号検出時設定モードが否かを判断する（Ｓ１５５）。信号検出時設定モードが設定されている場合（Ｓ１５５でＹｅｓ）、グループ情報設定部１３９は、グループ識別情報の設定を行う（Ｓ１５２）。一方、信号検出字設定モードではなく信号未検出時設定モードが設定されている場合（Ｓ１５５でＮｏ）、グループ情報設定部１３９はグループ識別情報の設定を行うことなく、Ｓ１７の処理に移行する。
【０１３６】
また、映像信号の入力がない場合も（Ｓ１５１でＮｏ）、グループ情報設定部１３９は、切換部により設定されているモードが信号検出時設定モードが否かを判断する（Ｓ１５６）。そして、信号検出時設定モードが設定されている場合（Ｓ１５６でＹｅｓ）、グループ情報設定部１３９はグループ識別情報の設定を行うことなく、Ｓ１７の処理に移行する。一方、信号検出字設定モードではなく信号未検出時設定モードが設定されている場合（Ｓ１５６でＮｏ）、グループ情報設定部１３９は、グループ識別情報の設定を行う（Ｓ１５２）。
【０１３７】
例えば、ディスプレイ装置２００−１，２００−２，２００−５，２００−６に映像信号を入力した状態で、切換部によりグループ情報設定部１３９の処理を図１０に示す処理（信号検出時設定モード）に切り換え、グループ分けコマンドをディスプレイ装置２００−１〜２００−８に入力する。これにより、ディスプレイ装置２００−１，２００−２，２００−５，２００−６において同一のグループ識別情報が設定される。その後、切換部によりグループ情報設定部１３９の処理を図１６に示す処理（信号未検出時設定モード）に切り換え、前回と異なるグループ識別情報を含むグループ分けコマンドをディスプレイ装置２００−１〜２００−８に入力する。これにより、映像信号が入力されていないディスプレイ装置２００−３，２００−４，２００−７，２００−８において同一のグループ識別情報を設定することができる。
【０１３８】
＜変形例２＞
上記の説明では、分配器７０Ａを用いることにより、信号発生器５０Ａからの映像信号を、ディスプレイ装置２００−１，２００−２，２００−５，２００−６の各々に並列に入力させていた。しかしながら、分配器７０Ａを用いることなく、信号発生器５０Ａ，５０Ｂからの映像信号を、映像入力端子１０２および映像出力端子１０４を用いてデイジーチェーン接続された複数のディスプレイ装置２００に入力してもよい。
【０１３９】
図１８は、映像入力端子１０２および映像出力端子１０４を用いて複数のディスプレイ装置２００をデイジーチェーン接続しているマルチディスプレイシステムを示す図である。
【０１４０】
図１８に示されるように、信号発生器５０Ａの映像信号は、ディスプレイ装置２００−１の映像入力端子１０２に入力される。そして、ディスプレイ装置２００−１の映像出力端子１０４とディスプレイ装置２００−５の映像入力端子１０２、ディスプレイ装置２００−５の映像出力端子１０４とディスプレイ装置２００−６の映像入力端子１０２、ディスプレイ装置２００−６の映像出力端子１０４とディスプレイ装置２００−２の映像入力端子１０２、を接続している。
【０１４１】
また、信号発生器５０Ｂの映像信号は、ディスプレイ装置２００−３の映像入力端子１０２に入力される。そして、ディスプレイ装置２００−３の映像出力端子１０４とディスプレイ装置２００−７の映像入力端子１０２、ディスプレイ装置２００−７の映像出力端子１０４とディスプレイ装置２００−８の映像入力端子１０２、ディスプレイ装置２００−８の映像出力端子１０４とディスプレイ装置２００−４の映像入力端子１０２、を接続している。
【０１４２】
そして、各ディスプレイ装置２００では、映像入力端子１０２に入力された映像信号をそのまま映像出力端子１０４から出力する。これにより、デイジーチェーン接続されたディスプレイ装置２００−１，２００−２，２００−５，２００−６のグループと、デイジーチェーン接続されたディスプレイ装置２００−３，２００−４，２００−７，２００−８のグループとの各々には、同一の映像信号が入力されることとなる。
【０１４３】
＜変形例３＞
上記の説明では、制御用ＰＣ１において、操作受付部３１は、ＨＤＤ３から画像データ４５を読み出し、制御信号送信部３９が制御信号とともに画像データ４５を信号発生器５０Ａ，５０Ｂに送信するものとした。しかしながら、本発明はこの形態に限定されるものではない。
【０１４４】
例えば、ＨＤＤ３が複数の画像データを記憶しており、操作受付部３１は、当該複数の画像データから任意に一つの画像データを読み出してもよい。
【０１４５】
もしくは、操作受付部３１は、ＨＤＤ３に記憶されている複数の画像データのリストを作成し、一つの画像データの選択入力をユーザに促す画像を図４に示すグループ設定画面１８０に含めてもよい。これにより、ユーザは、グループ設定を行う際に、グループごとに異なる映像を表示させることができる。
【０１４６】
＜変形例４＞
また、制御用ＰＣ１から画像データを信号発生器５０Ａ，５０Ｂに送信するのではなく、信号発生器５０Ａ，５０Ｂにテレビアンテナが接続されていてもよい。この場合、信号発生器５０Ａ，５０Ｂは、制御用ＰＣ１から受信した制御信号が映像信号の発生をＯＮ状態にする旨を示している場合に限り、テレビアンテナから受信した信号に基づいて映像信号を発生し、出力すればよい。
【０１４７】
＜変形例５＞
上記の説明では、制御用ＰＣ１からグループ分けコマンドやグループ初期化コマンドを送信するものとした。しかしながら、コマンドの送信元は制御用ＰＣ１に限定されない。例えば、ディスプレイ装置２００に付属されているＩＲ信号送信装置（コマンド出力装置）１１５（図６参照）を用いてコマンドをディスプレイ装置２００に送信してもよい。この場合、コマンドは、デイジーチェーン接続されている複数のディスプレイ装置２００における先頭のディスプレイ装置２００−１に対してのみ送信すればよい。その結果、コマンドは、デイジーチェーン接続されている全てのディスプレイ装置２００−２〜２００−８に順次送信されることとなる。
【０１４８】
なお、ＩＲ信号送信装置１１５からグループ分けコマンドを送信する場合、当該グループ分けコマンドに含まれるグループ識別情報は、ユーザが任意に設定入力してもよい。
【０１４９】
＜変形例６＞
また、上記の説明では、制御用ＰＣ１から送信される制御信号により、信号発生器５０Ａ，５０Ｂからの映像信号の出力を制御するものとした。これにより、制御用ＰＣ１を操作するだけで、信号発生器５０からの映像信号の出力の有無と、ディスプレイ装置２００へのコマンドの送信とを制御することができる。
【０１５０】
しかしながら、制御用ＰＣ１により信号発生器５０Ａ，５０Ｂを制御する形態ではなく、ユーザは、信号発生器５０Ａ，５０Ｂを操作することにより、映像信号の出力の有無を変更してもよい。この場合、まず、ユーザは、信号発生器５０Ａからのみ映像信号が出力されるように、信号発生器５０Ａ，５０Ｂを操作した後、グループ分けコマンドを出力するように制御用ＰＣ１を操作する。その後、ユーザは、信号発生器５０Ｂからのみ映像信号が出力されるように、信号発生器５０Ａ，５０Ｂを操作した後、グループ分けコマンドを出力するように制御用ＰＣ１を操作する。これにより、図１５と同様のグループ設定を行うことができる。
【０１５１】
＜その他＞
上記の説明では、グループ設定を行っている際、グループ分け表示画面がディスプレイ装置２００に表示されるものとしたが、当該グループ分け表示画面を表示しない形態であってもよい。
【０１５２】
本発明は上述した各実施形態に限定されるものではなく、特許請求の範囲に示した範囲で種々の変更が可能であり、異なる実施形態にそれぞれ開示された技術的手段を適宜組み合わせて得られる実施形態についても本発明の技術的範囲に含まれる。
【０１５３】
最後に、ディスプレイ装置２００の機能を実現するソフトウェアであるディスプレイ装置２００の制御プログラムのプログラムコード（実行形式プログラム、中間コードプログラム、ソースプログラム）をコンピュータで読み取り可能に記録した記録媒体を、ディスプレイ装置２００に供給し、ディスプレイ装置２００内のコンピュータ（またはＣＰＵやＭＰＵ）が記録媒体に記録されているプログラムコードを読み出し実行することによっても、達成可能である。
【０１５４】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１５５】
また、ディスプレイ装置２００を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１５６】
本発明は、複数のディスプレイ装置を互いに隣接して配置したマルチディスプレイシステムに利用することができる。
【符号の説明】
【０１５７】
１  制御用ＰＣ（コマンド出力装置）
３７  コマンド送信部
３９  制御信号送信部
５０Ａ，５０Ｂ  信号発生器（信号発生装置）
１０２  映像入力端子（表示処理部）
１０９  表示処理部
１１０  表示部（表示手段）
１１５  ＩＲ信号送信装置（コマンド出力装置）
１１６  ＨＤＤ（記憶手段）
１３３  コマンド受付部
１３５  コマンド判断部
１３７  抽出部
１３９  グループ情報設定部（グループ設定部）
２００（２００−１〜２００−８）  ディスプレイ装置
【図１】
2012118390.tif 000003
【図２】
2012118390.tif 000004
【図３】
2012118390.tif 000005
【図４】
2012118390.tif 000006
【図５】
2012118390.tif 000007
【図６】
2012118390.tif 000008
【図７】
2012118390.tif 000009
【図８】
2012118390.tif 000010
【図９】
2012118390.tif 000011
【図１０】
2012118390.tif 000012
【図１１】
2012118390.tif 000013
【図１２】
2012118390.tif 000014
【図１３】
2012118390.tif 000015
【図１４】
2012118390.tif 000016
【図１５】
2012118390.tif 000017
【図１６】
2012118390.tif 000018
【図１７】
2012118390.tif 000019
【図１８】
2012118390.tif 000020